(57)【要約】【課題】本発明は、携帯端末装置を使用して情報処理装置を利用するユーザを管理する際のセキュリティを向上させる。【解決手段】画像処理システム１は、画像形成装置Ｇｋ１〜Ｇｋｎの認証管理部１１がワンタイムパスワードを発行し、モバイル端末ＭＴの画像データ生成部２３が、該ワンタイムパスワード用のパスワード画像と端末識別情報用の端末識別画像を認証用画像として生成して情報入出力部２５に表示する。画像形成装置Ｇｋ１〜Ｇｋｎは、認証用画像を画像読取部１４で読み取って情報記憶部１３にワンタイムパスワードと端末識別情報を記憶する。情報入出力部２５での操作情報がワンタイムパスワード及び端末識別情報とともにモバイル端末ＭＴから画像形成装置Ｇｋ１〜Ｇｋｎへ送信されると、画像形成装置Ｇｋ１〜Ｇｋｎがワンタイムパスワード及び端末識別情報に基づいて認証処理を行った後、操作情報に応じた動作を行う。【選択図】          図２
2015053021.tif 000002
【特許請求の範囲】
【請求項１】
情報処理装置に対する携帯端末装置からの動作要求の認証処理を行う認証システムであって、
所定の許可情報を発行するとともに該許可情報を記憶手段に記憶させる許可情報発行手段と、
前記許可情報を特定する許可情報画像と前記携帯端末装置を識別する装置識別情報を特定する装置識別画像とを認証画像として生成する認証画像生成手段と、
前記携帯端末装置に設けられ、前記認証画像生成手段で生成された前記認証画像を表示する表示手段と、
前記情報処理装置に設けられ、前記表示手段に表示される前記認証画像を読み取る読取手段と、
前記読取手段で読み取られた前記認証画像から前記許可情報と前記装置識別情報とを取得し、該許可情報が前記記憶手段に記憶された前記許可情報と一致した場合に前記装置識別情報を前記記憶手段に記憶させる登録手段と、
前記携帯端末装置に設けられ、前記情報処理装置に対する動作要求を示す動作要求情報及び前記装置識別情報を前記情報処理装置へ送信する要求送信手段と、
前記情報処理装置に設けられ、前記動作要求情報及び前記装置識別情報を受信する要求受信手段と、
前記要求受信手段で受信された前記装置識別情報が前記記憶手段に記憶された前記装置識別情報に一致するか否かに基づいて、前記要求受信手段の受信した前記動作要求情報に基づく前記情報処理装置における動作の実行の可否を制御する認証管理手段と、
を備えていることを特徴とする認証システム。
【請求項２】
前記装置識別情報を暗号化する暗号化手段と、
暗号化された前記装置識別情報を復号する復号手段と、をさらに備え、
前記要求送信手段は、前記暗号化手段で暗号化された前記装置識別情報と前記動作要求情報とを送信し、
前記認証管理手段は、前記復号手段で復号された前記装置識別情報に基づいて、前記動作要求情報に基づく前記情報処理装置における動作の実行の可否を制御することを特徴とする請求項１記載の認証システム。
【請求項３】
前記許可情報が暗号化復号情報であり、
前記暗号化手段および前記復号手段は、前記暗号化復号情報としての前記許可情報に基づいて、前記装置識別情報を暗号化および復号することを特徴とする請求項２記載の認証システム。
【請求項４】
前記許可情報が、ワンタイムパスワードであることを特徴とする請求項１から請求項３のいずれかに記載の認証システム。
【請求項５】
前記装置識別情報は、前記携帯端末装置のＭＡＣアドレスであることを特徴とする請求項１から請求項４のいずれかに記載の認証システム。
【請求項６】
前記認証画像生成手段は、前記認証画像として、前記許可情報を特定するコードと前記装置識別情報を特定するコードを生成することを特徴とする請求項１から請求項５のいずれかに記載の認証システム。
【請求項７】
前記認証画像生成手段は、前記認証画像として、前記許可情報を特定する文字情報と前記装置識別情報を特定する文字情報を生成することを特徴とする請求項１から請求項５のいずれかに記載の認証システム。
【請求項８】
前記携帯端末装置と前記情報処理装置は、前記情報処理装置の接続されているローカルエリアネットワークに接続されたＷｉ−Ｆｉ親機を通したＷｉ−Ｆｉ通信、Ｂｌｕｅｔｏｏｔｈ通信、赤外線通信のいずれかによって通信することを特徴とする請求項１から請求項７のいずれかに記載の認証システム。
【請求項９】
前記情報処理装置は、前記携帯端末装置からの動作要求情報に基づいて各種画像処理動作を行う画像処理装置であることを特徴とする請求項１から請求項８のいずれかに記載の認証システム。
【請求項１０】
携帯端末装置からの動作要求を受け付ける情報処理装置であって、
所定の許可情報を発行するとともに該許可情報を記憶手段に記憶させる許可情報発行手段と、
前記携帯端末装置の表示手段に表示された、前記許可情報を特定する許可情報画像と前記携帯端末装置を識別する装置識別情報を特定する装置識別画像とを含む認証画像を読み取る読取手段と、
前記読取手段で読み取られた前記認証画像から前記許可情報と前記装置識別情報とを取得し、該許可情報が前記記憶手段に記憶された前記許可情報と一致した場合に前記装置識別情報を前記記憶手段に記憶させる登録手段と、
前記動作要求を示す動作要求情報及び前記装置識別情報を前記携帯端末装置から受信する要求受信手段と、
前記要求受信手段で受信された前記装置識別情報が前記記憶手段に記憶された前記装置識別情報に一致するか否かに基づいて、前記要求受信手段の受信した前記動作要求情報に基づく前記情報処理装置における動作の実行の可否を制御する認証管理手段と、
を備えていることを特徴とする情報処理装置。
【請求項１１】
情報処理装置に対する携帯端末装置からの動作要求の認証処理を行う認証プログラムであって、
制御プロセッサに、
所定の許可情報を発行するとともに該許可情報を記憶手段に記憶させる許可情報発行処理と、
前記許可情報を特定する許可情報画像と前記携帯端末装置を識別する装置識別情報を特定する装置識別画像とを認証画像として生成する認証画像生成処理と、
前記認証画像生成処理で生成された前記認証画像を表示する、前記携帯端末装置における表示処理と、
前記表示処理で表示される前記認証画像を読み取る、前記情報処理装置における読取処理と、
前記読取処理で読み取られた前記認証画像から前記許可情報と前記装置識別情報とを取得し、該許可情報が前記記憶手段に記憶された前記許可情報と一致した場合に前記装置識別情報を前記記憶手段に記憶させる登録処理と、
前記情報処理装置に対する動作要求である動作要求情報及び前記装置識別情報を前記情報処理装置へ送信する、前記携帯端末装置における要求送信処理と、
前記動作要求情報及び前記装置識別情報を受信する、前記情報処理装置における要求受信処理と、
前記要求受信処理で受信された前記装置識別情報が前記記憶手段に記憶された前記装置識別情報に一致するか否かに基づいて、前記要求受信処理で受信された前記動作要求情報に基づく前記情報処理装置における動作の実行の可否を制御する認証管理処理と、
を実行させることを特徴とする認証プログラム。
【発明の詳細な説明】
【技術分野】
【０００１】
本発明は、認証システム、情報処理装置及び認証プログラムに関し、詳細には、利用ユーザの管理とセキュリティの向上を図った認証システム、情報処理装置及び認証プログラムに関する。
【背景技術】
【０００２】
プリンタ、複写装置、複合装置及びスキャナ装置等の画像処理装置やコンピュータ等を含む情報処理装置においては、近年、ネットワークに接続されて、ネットワークを介してコンピュータ等のホスト装置から受信したデータの用紙への印刷出力、他の装置への転送出力等のデータ処理を行うようになってきている。
【０００３】
従来から企業や公的機関においては、重要文書及び図面等の機密保持を必要とする文章、画像等のデータを取り扱うことが多く、各企業や公的機関は、機密データの取り扱いに細心の注意を払って、機密データが漏洩することを防止している。
【０００４】
そして、従来、このような機密データを機密保持した状態で印刷出力させる機密印刷機能を備えた画像形成装置がある。このような機密印刷機能を備えた画像形成装置は、一般的に、ハードディスク等の不揮発性メモリを備えていて、機密データ、特に、機密印刷データ（機密印刷を要求している印刷データ）を一旦不揮発性メモリに蓄積した後、印刷出力する。この機密印刷機能を備えた画像形成装置に機密印刷データを印刷出力させる場合、ユーザは、ホスト装置からユーザＩＤ等の認証情報を付加した機密印刷データを画像形成装置に送信し、あるいは、画像形成装置のスキャナで機密印刷データの原稿を読み取らせるとともに操作表示部から認証情報（ユーザＩＤ等）を入力する。画像形成装置は、機密印刷データが入力されると、入力された機密印刷データを不揮発性メモリに蓄積するとともに、該機密印刷データに付加されている認証情報に基づいて機密印刷データを管理して、認証を条件として印刷出力を行う。
【０００５】
一方、近年、スマートフォン等の携帯端末装置と画像処理装置を、インターネット、ＬＡＮ（Local Area Network）、Ｂｌｕｅｔｏｏｔｈ（登録商標）等の通信技術を利用して、画像処理装置の操作表示部として利用して、画像処理装置を操作することが行われるようになってきている。
【０００６】
このような携帯端末装置を操作表示部として利用して画像処理装置にデータ処理を行わせる場合にも、例えば、機密印刷を行わせる場合には、機密印刷データの機密を確保する必要がある。
【０００７】
そして、従来、クライアント装置と、携帯端末装置と、前記クライアント装置にネットワークを介して接続された画像形成装置とを備えた画像形成システムであって、前記クライアント装置は、表示部と、通信部と、機密印刷が指定された場合に認証コードを生成し、この認証コードを機械読み取り可能な画像で表したコード画像に変換して前記表示部に表示すると共に、前記機密印刷に係る印刷データと前記認証コードとを前記通信部から前記ネットワークを介して前記画像形成装置へ送信する制御部と、を備え、前記携帯端末装置は、前記表示部に表示された前記コード画像を光学的に読み取る読取部と、前記読取部によって読み取られた前記コード画像を認証コードに復号化する復号部と、前記復号部によって復号化された認証コードを無線送信する送信部と、を備え、前記画像形成装置は、印刷部と、前記クライアント装置から前記ネットワークを介して前記印刷データと前記認証コードとを受信するデータ受信部と、前記データ受信部によって受信した前記印刷データと前記認証コードとが関連付けられて記憶される記憶部と、前記携帯端末装置の前記送信部から無線送信された認証コードを受信するコード受信部と、前記コード受信部によって受信した認証コードと一致する認証コードを前記記憶部から検出し、該検出された認証コードに関連付けて記憶されている印刷データに基づく印刷を前記印刷部に行わせる制御部と、を備えた画像形成システムが提案されている（特許文献１参照）。
【０００８】
すなわち、この従来技術は、クライアント装置で、機密印刷における認証コードを生成して表示部に表示するとともに、印刷データと認証コードをネットワークを介して画像形成装置に送信し、携帯端末装置が、該コード画像を読み取って認証コードに変換して画像形成装置に無線送信する。画像形成装置は、ネットワークを介してクライアント装置から印刷データと認証コードを受信し、携帯端末装置から認証コードを受信して、両認証コードが一致すると、該印刷データの印刷を行う。
【発明の概要】
【発明が解決しようとする課題】
【０００９】
しかしながら、上記従来技術にあっては、印刷データを認証するための認証コードを、クライアント装置から印刷データとともに画像形成装置へ送信するとともに、携帯端末装置が該認証コードを画像形成装置に送信する。そして、画像形成装置は、両認証コードが一致すると、印刷データの印刷を行なっている。したがって、この従来技術では、クライアント装置と携帯端末装置を所持するユーザが画像形成装置から離れた場所（遠隔地）にいる場合であっても、認証コードが一致すると、画像形成装置の動作を制御することができることとなる。その結果、遠隔地でも画像処理装置の操作が可能となるため、遠隔地から画像処理装置内の情報が傍受されたり、悪意のある操作が行われる等のセキュリティ上の問題があった。
【００１０】
そこで、本発明は、セキュリティを向上させることを目的としている。
【課題を解決するための手段】
【００１１】
上記目的を達成するために、請求項１記載の認証システムは、情報処理装置に対する携帯端末装置からの動作要求の認証処理を行う認証システムであって、所定の許可情報を発行するとともに該許可情報を記憶手段に記憶させる許可情報発行手段と、前記許可情報を特定する許可情報画像と前記携帯端末装置を識別する装置識別情報を特定する装置識別画像とを認証画像として生成する認証画像生成手段と、前記携帯端末装置に設けられ、前記認証画像生成手段で生成された前記認証画像を表示する表示手段と、前記情報処理装置に設けられ、前記表示手段に表示される前記認証画像を読み取る読取手段と、前記読取手段で読み取られた前記認証画像から前記許可情報と前記装置識別情報とを取得し、該許可情報が前記記憶手段に記憶された前記許可情報と一致した場合に前記装置識別情報を前記記憶手段に記憶させる登録手段と、前記携帯端末装置に設けられ、前記情報処理装置に対する動作要求を示す動作要求情報及び前記装置識別情報を前記情報処理装置へ送信する要求送信手段と、前記情報処理装置に設けられ、前記動作要求情報及び前記装置識別情報を受信する要求受信手段と、前記要求受信手段で受信された前記装置識別情報が前記記憶手段に記憶された前記装置識別情報に一致するか否かに基づいて、前記要求受信手段の受信した前記動作要求情報に基づく前記情報処理装置における動作の実行の可否を制御する認証管理手段と、を備えていることを特徴としている。
【発明の効果】
【００１２】
本発明によれば、セキュリティを向上させることができる。
【図面の簡単な説明】
【００１３】
【図１】本発明の一実施例を適用した画像処理システムの構成図。
【図２】画像形成装置及びモバイル端末の要部ブロック構成図。
【図３】パスワード画像及び端末識別画像の一例を示す図。
【図４】コピー操作画面の一例を示す図。
【図５】認証画像生成処理を示すシーケンス図。
【図６】モバイル端末登録処理を示すシーケンス図。
【図７】モバイル端末を使用した画像形成装置の操作処理を示すシーケンス図。
【図８】図７の続きのシーケンス図。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の携帯で説明される構成の全てが本発明の必須の構成要件ではない。
【実施例１】
【００１５】
図１〜図８は、本発明の認証システム、情報処理装置及び認証プログラムの一実施例を示す図であり、図１は、本発明の認証システム、情報処理装置及び認証プログラムの一実施例を適用した画像処理システム１の構成図である。
【００１６】
図１において、画像処理システム１は、ＬＡＮ（Local Area Network）等のネットワークＮＷに複数の画像形成装置Ｇｋ１〜Ｇｋｎ及び無線ＬＡＮ親機ＯＫが接続されており、本発明の認証システムが適用されている。なお、ネットワークＮＷは、有線であっても、無線であってもよいが、本実施例では、有線が用いられている。
【００１７】
無線ＬＡＮ親機（Ｗｉ−Ｆｉ親機）ＯＫは、モバイル端末（携帯端末装置）ＭＴと無線通信するとともに、ネットワークＮＷと有線で接続されており、無線のモバイル端末ＭＴ同士を、相互に接続したり、ネットワークＮＷに接続する。なお、図１では、ネットワークＮＷに、複数の画像形成装置Ｇｋ１〜Ｇｋｎと無線ＬＡＮ親機ＯＫのみが接続されているが、その他の装置、例えば、スキャナ装置、コンピュータ、他のネットワークに接続するルータ等が接続されていてもよい。
【００１８】
画像形成装置（情報処理装置）Ｇｋ１〜Ｇｋｎは、複写装置、プリンタ装置、複合装置等であり、その主要部が、図２に示すようにブロック構成されている。モバイル端末ＭＴは、スマートフォン（smart phone：多機能携帯電話）、ＰＤＡ（Personal Digital Assistant）等の携帯端末装置であり、その主要部が、図２に示すようにブロック構成されている。
【００１９】
すなわち、画像形成装置Ｇｋ１〜Ｇｋｎは、通常の画像形成装置のハードウェア構成及びソフトウェア構成を備えているとともに、本発明の認証方法を実行する認証プログラムのうち、画像形成装置Ｇｋ１〜Ｇｋｎ側で実行する部分のプログラムを搭載している。
【００２０】
すなわち、画像形成装置Ｇｋ１〜Ｇｋｎは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像形成装置における認証方法を実行する認証プログラムのうち、画像形成装置Ｇｋ１〜Ｇｋｎ側で実行する部分のプログラムを読み込んでＲＯＭやハードディスク等に導入することで、後述する携帯端末装置であるモバイル端末ＭＴを使用して情報処理装置である画像形成装置Ｇｋ１〜Ｇｋｎを利用する際のセキュリティを向上させる認証方法を実行する画像形成装置（情報処理装置）として構築されている。この認証プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２１】
そして、画像形成装置Ｇｋ１〜Ｇｋｎは、認証プログラムが導入されることで、図２に示すように、認証管理部１１、データ送受信部１２、情報記憶部１３及び画像読取部１４等が構築される。なお、画像形成装置Ｇｋ１〜Ｇｋｎは、図示しないが、画像形成装置Ｇｋ１〜Ｇｋｎとしての基本処理を実行する各部、例えば、画像形成部、用紙収納部、用紙搬送部及び操作表示部等を備えている。
【００２２】
認証管理部（許可情報発行手段、登録手段、認証管理手段、復号手段）１１は、画像形成装置Ｇｋ１〜Ｇｋｎを利用する際のユーザの認証処理を行う。特に、認証管理部１１は、ユーザがモバイル端末ＭＴを画像形成装置Ｇｋ１〜Ｇｋｎの操作表示部として利用する際の認証管理を行う。認証管理部１１は、認証において１度のみ使用することのできるワンタイムパスワードを用いてユーザを認証する認証処理を行う。なお、ワンタイムパスワードは、種々の方式があるが、いずれの方式であってもよい。
【００２３】
認証管理部１１は、ワンタイムパスワードを発行する機能（許可情報発行手段としての機能）、モバイル端末ＭＴのディスプレイに表示される認証画像からワンタイムパスワードと端末識別情報（装置識別情報）を取得して情報記憶部１３へ記憶させる機能（登録手段としての機能）、モバイル端末ＭＴから送られてくるワンタイムパスワードを解析して認証する機能（認証管理手段としての機能）等を備えている。
【００２４】
データ送受信部（要求受信手段）１２は、ネットワークＮＷを介して他の画像形成装置Ｇｋ１〜Ｇｋｎや情報処理装置と接続されているとともに、ネットワークＮＷ及び無線ＬＡＮ親機ＯＫを介してモバイル端末ＭＴと接続される。データ送受信部１２は、特に、ネットワークＮＷ及び無線ＬＡＮ親機ＯＫを介してモバイル端末ＭＴとの間で、ワンタイムパスワード、認証結果、画像データ、動作要求情報（操作情報）等の各種情報の送受信を行う。
【００２５】
情報記憶部（記憶手段）１３は、ＮＶＲＡＭ（Non Volatile ＲＡＭ）等の不揮発性メモリで構成され、ユーザ毎のワンタイムパスワード、該ワンタイムパスワードの解析情報、端末識別情報等の認証に必要な情報及び画像データ等を記憶する。
【００２６】
画像読取部（読取手段）１４は、原稿の画像を読み取るスキャナやカメラ等で構成され、画像、特に、後述するモバイル端末ＭＴが表示するワンタイムパスワードから生成されたパスワード画像及び端末識別画像（以下、適宜、パスワード画像という。）を読み取る。画像読取部１４は、読み取ったパスワード画像を、認証要求とともに認証管理部１１へ出力する。
【００２７】
認証管理部１１は、画像読取部１４がパスワード画像から端末識別情報を読み取って、該端末識別情報が発行したワンタイムパスワードと対となって情報記憶部１３に登録されている端末識別情報と一致するか否かを解析する。認証管理部１１は、両端末識別情報が一致すると、認証要求を許可し、該認証要求のあったユーザによる画像形成処理等の画像処理要求（動作処理要求）を実行する。認証管理部１１は、両端末識別情報が不一致であると、認証要求を不許可とし、該認証要求のあったユーザからの動作要求を無視する。認証管理部１１は、モバイル端末ＭＴから送信されてきたワンタイムパスワードを用いて暗号化されている情報（端末識別情報等）を、ワンタイムパスワードを用いて復号し、また、モバイル端末ＭＴへ送信する情報を、ワンタンイムパスワードを用いて暗号化する。
【００２８】
モバイル端末ＭＴは、上述のように、ＯＳとしてAndroid（登録商標）、IOS（登録商標）、windows（登録商標）等を搭載したスマートフォンやタブレット等の携帯性を有するモバイル端末であり、図示しないが、ＣＰＵ、ＲＯＭ、ＲＡＭ、不揮発性メモリ、ディスプレイ、無線通信部及び入力Ｉ／Ｆ等を備えている。モバイル端末ＭＴは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明のモバイル端末装置における認証方法を実行する認証プログラムのうち、モバイル端末ＭＴ側で実行する部分のプログラムを読み込んでＲＯＭやその他の不揮発性メモリ等に導入することで、後述する携帯端末装置であるモバイル端末ＭＴを使用して情報処理装置である画像形成装置Ｇｋ１〜Ｇｋｎを利用する際のセキュリティを向上させる認証方法を実行するモバイル端末（携帯端末装置）として構築されている。この認証プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２９】
モバイル端末ＭＴは、上記認証プログラムが導入されることで、図２に示すように、認証管理部２１、データ送受信部２２、画像データ生成部２３、情報記憶部２４及び情報入出力部２５等が構築されている。
【００３０】
データ送受信部（要求送信手段）２２は、無線により、無線ＬＡＮ親機ＯＫを介してネットワークＮＷに接続され、該ネットワークＮＷ上の画像形成装置Ｇｋ１〜Ｇｋｎやその他の情報処理装置と通信する。特に、データ送受信部２２は、無線ＬＡＮ親機ＯＫ及びネットワークＮＷを介して画像形成装置Ｇｋ１〜Ｇｋｎとの間で、ワンタイムパスワード、端末識別情報、認証結果、画像データ、操作情報等の各種情報の送受信を行う。
【００３１】
認証管理部２１は、データ送受信部２２が受信したワンタイムパスワードの解析処理、解析したワンタイムパスワードを画像データ生成部２３に渡し、また、情報記憶部２４に記憶させる。また、認証管理部２１は、情報記憶部２４に予め記憶されているモバイル端末ＭＴを識別可能な端末識別情報を、該情報記憶部２４から読み出して、画像データ生成部２３に渡す。
【００３２】
画像データ生成部（認証画像生成手段）２３は、認証管理部２１から渡されるワンタイムパスワードから情報入出力部２５に表示可能なパスワード画像を生成し、また、端末識別情報から情報入出力部２５に表示可能な端末識別画像（装置識別画像）を生成する。画像データ生成部２３は、生成したパスワード画像及び端末識別画像を、認証画像として、認証管理部２１へ渡す。画像データ生成部２３は、この認証画像としてのパスワード画像及び端末識別画像として、例えば、ＱＲコード（登録商標）、バーコード等のコード、文字情報等を生成する。認証管理部２１は、画像データ生成部２３の生成したパスワード画像及び端末識別画像を、ワンタイムパスワード及び端末識別情報と対応させて情報記憶部２４に記憶させる。
【００３３】
情報入出力部（表示手段）２５は、ディスプレイや操作キー等で構成され、操作キーは、ディスプレイとしてタッチパネル付きディスプレイを用いて、該タッチパネル付きディスプレイに表示する機能キーであってもよい。情報入出力部２５は、認証管理部２１の制御下で、上記パスワード画像及び端末識別画像からなる認証画像を、例えば、図３に示すように、認証画面Ｇ１として表示する。なお、図５には、パスワード画像及び端末識別画像が、並んで表示されている状態が示されている。
【００３４】
また、認証管理部２１は、情報入出力部２５に、画像形成装置Ｇｋ１〜Ｇｋｎを操作するための各種操作画面を表示させる。例えば、認証管理部２１は、コピー操作においては、図４に示すようなコピー操作画面Ｇ２を情報入出力部２５へ表示させる。図４では、白黒、フルカラー、自動選択、用紙サイズ、原稿向き、用紙指定変倍、変倍、倍率、片面・両面、ソート、読めない原稿方向及びその他の機能設定等の各種操作を行う機能ボタンや情報が表示されている。
【００３５】
認証管理部（暗号化手段）２１は、情報入出力部２５の操作画面で、操作された操作内容と端末識別情報を、ワンタイムパスワードを用いて暗号化して、操作情報として、データ送受信部２２から画像形成装置Ｇｋ１〜Ｇｋｎへ送信させる。また、認証管理部２１は、画像形成装置から送信されてきた暗号化された情報を復号する。
【００３６】
そして、画像形成装置Ｇｋ１〜Ｇｋｎとモバイル端末ＭＴは、近距離無線通信方式として、ネットワークＮＷに接続されている無線ＬＡＮ親機ＯＫとモバイル端末ＭＴとがＷｉ−Ｆｉ（Wireless Fidelity）を用いて接続される。したがって、モバイル端末ＭＴが、ネットワークＮＷのＷｉ−Ｆｉ環境下にあるときに、モバイル端末ＭＴが画像形成装置Ｇｋ１〜Ｇｋｎと繋がる。その結果、ユーザは、ネットワークＮＷのＷｉ−Ｆｉ環境下にあるモバイル端末ＭＴを使用して、認証を条件として、画像形成装置Ｇｋ１〜Ｇｋｎを操作することができる。なお、上記説明では、画像形成装置Ｇｋ１〜Ｇｋｎとモバイル端末ＭＴとの間の近距離無線通信方式として、Ｗｉ−Ｆｉを用いているが、Ｗｉ−Ｆｉに限るものではない。例えば、近距離無線通信方式としては、Ｂｌｕｅｔｏｏｔｈ（登録商標）、赤外線通信、ＵＷＢ（Ultra Wide Band）、ＺｉｇＢｅｅ、ＮＦＣ（Near Field Communication）等の近距離無線通信方式であってもよい。
【００３７】
次に、本実施例の作用について説明する。本実施例の画像処理システム１は、モバイル端末ＭＴを使用して画像形成装置Ｇｋ１〜Ｇｋｎを利用するユーザを管理する際のセキュリティを向上させる。
【００３８】
そこで、画像処理システム１は、画像形成装置Ｇｋ１〜Ｇｋｎを利用するユーザの利用端末であるモバイル端末ＭＴを予め登録し、該登録情報である端末識別情報に基づいて、以降の該モバイル端末ＭＴを使用した画像形成装置Ｇｋ１〜Ｇｋｎの利用を許可する。
【００３９】
まず、モバイル端末ＭＴの画像形成装置Ｇｋ１〜Ｇｋｎへの登録処理について、図５及び図６に基づいて説明する。
【００４０】
画像処理システム１は、モバイル端末ＭＴの画像形成装置Ｇｋ１〜Ｇｋｎへの登録処理の前段の処理として、まず、図５に示す認証画像生成処理を行う。すなわち、図５に示すように、ユーザＵがモバイル端末ＭＴの情報入出力部２５を操作して、利用登録要求を行い（Ｓ１）、情報入出力部２５が、認証管理部２１に利用登録要求を渡す（Ｓ２）。認証管理部２１は、情報入出力部２５から利用登録要求があると、データ送受信部２２を介して利用登録要求通知を画像形成装置Ｇｋ１〜Ｇｋｎ１２のデータ送受信部１２へ送信する（Ｓ３、Ｓ４）。
【００４１】
画像形成装置Ｇｋ１〜Ｇｋｎは、データ送受信部１２が利用登録要求通知を受け取ると、認証管理部１１へ利用登録要求通知を渡し（Ｓ５）、認証管理部１１が、ワンタイムパスワードを発行する（Ｓ６）。認証管理部１１は、ワンタイムパスワードを発行すると、該ワンタイムパスワードを、情報記憶部１３へ記憶させ（Ｓ７）、データ送受信部１２へワンタイムパスワード通知要求を渡す（Ｓ８）。データ送受信部１２は、ワンタイムパスワード通知要求が渡されると、該ワンタイムパスワードを、モバイル端末ＭＴのデータ送受信部２２へ送信する（Ｓ９）。
【００４２】
モバイル端末ＭＴのデータ送受信部２２は、受信したワンタイムパスワードを認証管理部２１へ渡し（Ｓ１０）、認証管理部２１は、画像データ生成部２３に該ワンタイムパスワードを渡して、画像データの生成要求を行う（Ｓ１１）。画像データ生成部２３は、渡されたワンタイムパスワードに基づいて、図３に示したようなＱＲコードや文字情報等によるパスワード画像を生成して、認証管理部２１に渡し、認証管理部２１は、該パスワード画像及びワンタイムパスワードを情報記憶部２４に記憶させる（Ｓ１２）。
【００４３】
認証管理部２１は、情報記憶部２４から端末識別情報を取得し（Ｓ１３）、画像データ生成部２３に、該端末識別情報を渡して画像データの生成要求を行う（Ｓ１４）。画像データ生成部２３は、渡された端末識別情報に基づいて、図３に示したようなＱＲコードや文字情報等による端末識別画像を生成して、認証管理部２１に渡す。認証管理部２１は、該パスワード画像及び端末識別画像を情報入出力部２５のディスプレイに、図３に示したように表示させる（Ｓ１５）。
【００４４】
次に、画像処理システム１は、モバイル端末ＭＴの画像形成装置Ｇｋ１〜Ｇｋｎへの登録処理の後段の処理として、図６に示すモバイル端末登録処理を行う。すなわち、図６に示すように、画像形成装置Ｇｋ１〜Ｇｋｎは、上記認証画像生成処理で、ワンタイムパスワードを発行した段階で、上記パスワード画像及び端末識別画像の読み取りが可能な状態となっている。
【００４５】
この状態で、ユーザＵが、画像形成装置Ｇｋ１〜Ｇｋｎの画像読取部１４に図３に示したようなパスワード画像及び端末識別画像の表示されているモバイル端末ＭＴのディスプレイをかざして、パスワード画像及び端末識別画像の読み取り要求を行う（Ｓ２１）。
【００４６】
画像形成装置Ｇｋ１〜Ｇｋｎの画像読取部１４は、読み取り要求があると、モバイル端末ＭＴのディスプレイに表示されているパスワード画像及び端末識別画像を読み取る（Ｓ２２）。画像読取部１４は、パスワード画像及び端末識別画像を読み取ると、認証管理部１１に渡して、モバイル端末認証要求を行う（Ｓ２３）。
【００４７】
認証管理部１１は、パスワード画像及び端末識別画像の画像解析を行い（Ｓ２４）、情報記憶部１３から該パスワード画像に対応するワンタイムパスワード情報を取得して（Ｓ２５）、ワンタイムパスワードが一致するか否かの確認を行う（Ｓ２６）。すなわち、認証管理部１１は、パスワード画像に埋め込まれていたワンタイムパスワードと情報記憶部１３に格納されているワンタイムパスワードが一致するか否かの確認を行う。
【００４８】
そして、認証管理部１１は、ワンタイムパスワードが一致すると、端末識別画像を解析して取得した端末識別情報を情報記憶部１３へ登録する（Ｓ２７）。認証管理部１１は、ワンタイムパスワードが不一致であると、情報記憶部１３に記憶していたワンタイムパスワードを破棄する（Ｓ２８）。
【００４９】
認証管理部１１は、端末識別情報の記憶、または、ワンタイムパスワードの破棄を行うと、認証結果通知をデータ送受信部１２へ渡す（Ｓ２９）。データ送受信部１２は、受け取った認証結果通知をモバイル端末ＭＴのデータ送受信部２２へ送信する（Ｓ３０）。
【００５０】
モバイル端末ＭＴのデータ送受信部２２は、受信した認証結果通知を認証管理部２１へ渡し（Ｓ３１）、認証管理部２１は、認証結果を解析して、認証結果を情報入出力部２５に表示出力してユーザＵに通知する（Ｓ３２）。
【００５１】
上記図５及び図６の処理で、ワンタイムパスワードが認証されると、ユーザＵは、以降、登録の完了したモバイル端末ＭＴを使用して画像形成装置Ｇｋ１〜Ｇｋｎの動作指示操作を、例えば、図７及び図８に示すように行うことができる。
【００５２】
すなわち、ユーザＵは、モバイル端末ＭＴを使用して画像形成装置Ｇｋ１〜Ｇｋｎの動作指示操作を行う場合、まず、モバイル端末ＭＴの情報入出力部２５を使用して、画像形成装置Ｇｋ１〜Ｇｋｎを操作するための情報を入力する。例えば、コピー操作する場合には、ユーザＵは、図４に示したようなコピー操作画面Ｇ２をディスプレイに表示させ、意図するコピー設定操作を行う。ユーザは、設定操作を完了すると、画像形成装置操作要求を情報入出力部２５に行って、操作情報（動作要求情報）の送信要求を行い（Ｓ３１）、情報入出力部２５は、画像形成装置操作要求があると、該画像形成装置操作要求とともに操作情報（動作要求情報）を認証管理部２１へ渡す（Ｓ３２）。
【００５３】
認証管理部２１は、画像形成装置操作要求があると、情報記憶部２４からワンタイムパスワードを取得し（Ｓ３３）、さらに、端末識別情報を取得する（Ｓ３４）。
【００５４】
認証管理部２１は、取得したワンタイムパスワードを用いて、操作情報と端末識別情報を暗号化し（Ｓ３５）、暗号化した情報をワンタイムパスワードとともに画像形成装置操作要求通知としてデータ送受信部２２に渡す（Ｓ３６）。データ送受信部２２は、暗号化された画像形成装置操作要求通知を受け取ると、画像形成装置Ｇｋ１〜Ｇｋｎのデータ送受信部１２へ送信する（Ｓ３８）。
【００５５】
画像形成装置Ｇｋ１〜Ｇｋｎのデータ送受信部１２は、受信した画像形成装置操作要求通知を認証管理部１１へ渡す（Ｓ３９）。
【００５６】
認証管理部１１は、暗号化された画像形成装置操作要求通知を受け取ると、情報記憶部１３からワンタイムパスワードを取得し（Ｓ３９）、該ワンタイムパスワードを用いて画像形成装置操作要求通知を復号する（Ｓ４０）。すなわち、認証管理部１１は、暗号化されている操作情報と端末識別情報を復号する。
【００５７】
認証管理部１１は、情報記憶部１３にモバイル端末ＭＴの登録時に保管した端末識別情報を情報記憶部１３から取得し（Ｓ４１）、復号した端末識別情報と保管していた端末識別情報が一致するか確認する（Ｓ４２）。
【００５８】
認証管理部１１は、両端末識別情報が一致すると、操作情報に基づいて画像形成装置Ｇｋ１〜Ｇｋｎを動作させ、動作内容を動作情報として取得する。なお、認証管理部１１は、両モバイル端末情報が不一致であると、不正アクセスとして、その操作情報による動作を拒否する。
【００５９】
認証管理部１１は、動作結果を、ワンタイムパスワードを用いて応答データとして暗号化する（Ｓ４３）。この動作結果は、両端末識別情報が一致したことによる操作情報に基づく動作結果、または、両端末識別情報が不一致によるアクセス拒否結果である。
【００６０】
認証管理部１１は、暗号化した応答データをデータ送受信部１２に画像形成装置捜査結果通知として渡し（Ｓ４４）、データ送受信部１２は、画像形成装置操作結果通知をモバイル端末ＭＴのデータ送受信部２２へ送信する（Ｓ４５）。
【００６１】
モバイル端末ＭＴのデータ送受信部２２は、受信した画像形成装置操作結果通知を認証管理部２１へ渡す（Ｓ４６）。
【００６２】
認証管理部２１は、画像形成装置操作結果通知を受け取ると、情報記憶部２４からワンタイムパスワードを取得し（Ｓ４７）、該ワンタイムパスワードを用いて、画像形成装置操作結果通知の応答データを復号する（Ｓ４８）。
【００６３】
認証管理部２１は、復号した応答データを、情報入出力部２５へ表示させ、ユーザＵが該情報入出力部２５への応答データの表示を見て、操作結果を確認することができるようにする（Ｓ４９）。
【００６４】
なお、上記説明では、画像形成装置Ｇｋ１〜Ｇｋｎにコピー動作を行わせる際の操作情報の処理と操作結果である応答データの処理について説明したが、操作内容としては、コピー操作に限るものでないことはいうまでもない。
【００６５】
また、上記説明においては、ユーザ認証をワンタイムパスワードを用いてセキュリティを向上させた状態で行っているが、ユーザ認証は、ワンタイムパスワードを用いた方法に限るものではない。
【００６６】
このように、本実施例の画像処理システム１は、画像形成装置（情報処理装置）Ｇｋ１〜Ｇｋｎに対するモバイル端末（携帯端末装置）ＭＴからの動作要求の認証処理を行う画像処理システム（認証システム）であって、所定のワンタイムパスワード（許可情報）を発行するとともに該ワンタイムパスワードを情報記憶部（記憶手段）１３に記憶させる認証管理部（許可情報発行手段）１１と、前記ワンタイムパスワードを特定するパスワード画像（許可情報画像）と前記モバイル端末ＭＴを識別する端末識別情報（装置識別情報）を特定する端末識別画像（装置識別画像）とを認証画像として生成する画像データ生成部（認証画像生成手段）２３と、前記モバイル端末ＭＴに設けられ、前記画像データ生成部２３で生成された前記認証画像を表示する情報入出力部（表示手段）２５と、前記画像形成装置Ｇｋ１〜Ｇｋｎに設けられ、前記情報入出力部２５に表示される前記認証画像を読み取る画像読取部（読取手段）１４と、画像読取部１４で読み取られた前記認証画像から前記ワンタイムパスワードと前記端末識別情報とを取得し、該ワンタイムパスワードが前記情報記憶部１３に記憶された前記ワンタイムパスワードと一致した場合に前記端末識別情報を前記情報記憶部１３に記憶させる認証管理部（登録手段）１１と、前記モバイル端末ＭＴに設けられ、前記画像形成装置Ｇｋ１〜Ｇｋｎに対する動作要求を示す動作要求情報及び前記端末識別情報を前記画像形成装置Ｇｋ１〜Ｇｋｎへ送信するデータ送受信部（要求送信手段）２２と、前記画像形成装置Ｇｋ１〜Ｇｋｎに設けられ、前記動作要求情報及び前記端末識別情報を受信するデータ送受信部（要求受信手段）１２と、前記データ送受信部１２で受信された前記端末識別情報が前記情報記憶部１３に記憶された前記端末識別情報に一致するか否かに基づいて、前記データ送受信部１２の受信した前記動作要求情報に基づく前記画像形成装置Ｇｋ１〜Ｇｋｎにおける動作の実行の可否を制御する認証管理部（認証管理手段）１１と、を備えている。
【００６７】
したがって、画像処理システム１では、モバイル端末ＭＴの情報入出力部２５に認証画像を表示させて、画像形成装置Ｇｋ１〜Ｇｋｎに該認証画像を読み取らせることでモバイル端末ＭＴを画像形成装置Ｇｋ１〜Ｇｋｎへ登録し、登録したモバイル端末ＭＴを用いて画像形成装置Ｇｋ１〜Ｇｋｎの動作操作を行う。その結果、モバイル端末ＭＴを使用して画像形成装置Ｇｋ１〜Ｇｋｎを利用するユーザを管理する際のセキュリティを向上させることができる。また、画像処理システム１の管理者は、モバイル端末ＭＴのユーザが誰であるかを確認することができる。
【００６８】
また、本実施例の画像処理システム１は、少なくとも前記端末識別情報（装置識別情報）を暗号化する認証管理部（暗号化手段）２１と、暗号化された前記端末識別情報を複合する認証管理部（復号手段）１１と、をさらに備え、前記データ送受信部（要求送信手段）２２が、暗号化手段としての認証管理部２１で暗号化された前記端末識別情報と前記動作要求情報とを送信し、前記認証管理手段としての前記認証管理部１１が、前記復号手段としての認証管理部１１で復号された前記端末識別情報に基づいて、前記動作要求情報に基づく画像形成装置Ｇｋ１〜Ｇｋｎにおける動作の実行の可否を制御する。
【００６９】
したがって、少なくとも端末識別情報（装置識別情報）を暗号化して送受信することで、より一層セキュリティを向上させることができる。
【００７０】
さらに、本実施例の画像処理システム１は、前記許可情報が暗号化復号情報であり、前記暗号化手段及び前記復号手段が、前記暗号化復号情報としての前記許可情報に基づいて、少なくとも前記端末識別情報（装置識別情報）を暗号化および復号する。
【００７１】
したがって、暗号化及び復号を効率的に、かつ、セキュリティを向上させた状態で行うことができ、より一層セキュリティを向上させることができるとともに、処理速度を向上させることができる。
【００７２】
また、本実施例の画像処理システム１は、前記許可情報として、ワンタイムパスワードを用いている。
【００７３】
したがって、通信の途中で、許可情報が盗聴されても、次に操作情報等を送信するときには、異なったものとなり、安全性を向上させることができる。
【００７４】
さらに、本実施例の画像処理システム１は、前記端末識別情報（装置識別情報）として、モバイル端末ＭＴのＭＡＣアドレスを用いている。
【００７５】
したがって、ＭＡＣアドレスによってモバイル端末ＭＴを一意に特定することができ、モバイル端末ＭＴを使用して画像形成装置Ｇｋ１〜Ｇｋｎを利用するユーザを管理する際の管理性の向上をより一層図ることができるとともに、セキュリティをより一層向上させることができる。
【００７６】
また、本実施例の画像処理システム１は、画像データ生成部（認証画像生成手段）２３が、前記認証画像として、前記ワンタイムパスワード（許可情報）を特定するＱＲコードと前記端末識別情報（装置識別情報）を特定するＱＲコードを生成している。
【００７７】
したがって、ワンタイムパスワードや端末識別情報の漏洩をより一層防止することができ、モバイル端末ＭＴを使用して画像形成装置Ｇｋ１〜Ｇｋｎを利用するユーザを管理する際の管理性の向上をより一層図ることができるとともに、セキュリティをより一層向上させることができる。
【００７８】
さらに、本実施例の画像処理システム１は、画像データ生成部（認証画像生成手段）２３が、前記認証画像として、前記ワンタイムパスワード（許可情報）を特定する文字情報と前記端末識別情報（装置識別情報）を特定する文字情報を生成している。
【００７９】
したがって、ＯＣＲ（Optical Character Reader：光学式文字読取装置）を利用して認証画像を解析することができ、モバイル端末ＭＴを使用して画像形成装置Ｇｋ１〜Ｇｋｎを利用するユーザを管理する際の管理性の向上を安価かつ容易に図ることができるとともに、セキュリティを安価かつ容易に向上させることができる。
【００８０】
また、本実施例の画像処理システム１は、前記モバイル端末ＭＴと前記画像形成装置Ｇｋ１〜Ｇｋｎが、画像形成装置Ｇｋ１〜Ｇｋｎの接続されているＬＡＮ（ローカルエリアネットワーク）に接続された無線ＬＡＮ親機（Ｗｉ−Ｆｉ親機）ＯＫを通したＷｉ−Ｆｉ通信、Ｂｌｕｅｔｏｏｔｈ通信、赤外線通信のいずれかによって通信している。
【００８１】
したがって、画像形成装置Ｇｋ１〜Ｇｋｎの近くでモバイル端末ＭＴを使用するユーザに画像形成装置Ｇｋ１〜Ｇｋｎの利用を許可することができ、モバイル端末ＭＴを使用して画像形成装置Ｇｋ１〜Ｇｋｎを利用するユーザを管理する際の管理性の向上をより一層図ることができるとともに、セキュリティをより一層向上させることができる。
【００８２】
さらに、本実施例の画像処理システム１は、前記情報処理装置が、モバイル端末ＭＴからの操作情報（動作要求情報）に基づいて各種画像処理動作を行う画像形成装置（画像処理装置）Ｇｋ１〜Ｇｋｎである。
【００８３】
したがって、モバイル端末ＭＴを使用して、ネットワークＮＷ等に接続された画像形成装置Ｇｋ１〜Ｇｋｎ等の画像処理装置を利用するユーザを管理する際の管理性の向上を図ることができるとともに、セキュリティを向上させることができる。
【００８４】
また、本実施例の画像処理システム１は、前記画像処理装置としての画像形成装置Ｇｋ１〜Ｇｋｎが、携帯端末装置としてのモバイル端末ＭＴからの動作要求を受け付ける情報処理装置であって、所定のワンタイムパスワード（許可情報）を発行するとともに該ワンタイムパスワードを情報記憶部（記憶手段）１３に記憶させる認証管理部（許可情報発行手段）１１と、モバイル端末ＭＴの情報入出力部（表示手段）２５に表示された、前記ワンタイムパスワードを特定するパスワード画像（許可情報画像）と前記モバイル端末ＭＴを識別する端末識別情報（装置識別情報）を特定する端末識別画像（装置識別画像）とを含む認証画像を読み取る画像読取部（読取手段）１４と、前記画像読取部１４で読み取られた前記認証画像から前記ワンタイムパスワードと前記端末識別情報とを取得し、該ワンタイムパスワードが前記情報記憶部１３に記憶された前記ワンタイムパスワードと一致した場合に前記端末識別情報を情報記憶部１３に記憶させる認証管理部（登録手段）１１と、前記動作要求を示す動作要求情報及び前記端末識別情報を前記モバイル端末ＭＴから受信するデータ送受信部（要求受信手段）１２と、前記データ送受信部１２で受信された前記端末識別情報が前記情報記憶部１３に記憶された前記端末識別情報に一致するか否かに基づいて、データ送受信部１２の受信した前記動作要求情報に基づく画像形成装置Ｇｋ１〜Ｇｋｎにおける動作の実行の可否を制御する認証管理部（認証管理手段）１１と、を備えている。
【００８５】
したがって、情報処理装置としての画像形成装置Ｇｋ１〜Ｇｋｎは、モバイル端末ＭＴの情報入出力部２５に表示される認証画像を読み取って該モバイル端末ＭＴを登録し、登録したモバイル端末ＭＴのみから動作操作を受け付ける。その結果、画像形成装置Ｇｋ１〜Ｇｋｎは、モバイル端末ＭＴを使用した動作要求を適切に管理して、セキュリティを向上させることができる。
【００８６】
さらに、本実施例の画像処理システム１は、画像形成装置（情報処理装置）Ｇｋ１〜Ｇｋｎに対するモバイル端末（携帯端末装置）ＭＴからの動作要求の認証処理を行う認証プログラムであって、制御プロセッサに、所定のワンタイムパスワード（許可情報）を発行するとともに該ワンタイムパスワードを情報記憶部（記憶手段）１３に記憶させる許可情報発行処理と、前記ワンタイムパスワードを特定するパスワード画像（許可情報画像）と前記モバイル端末ＭＴを識別する端末識別情報（装置識別情報）を特定する端末識別画像（装置識別画像）とを認証画像として生成する認証画像生成処理と、前記認証画像生成処理で生成された前記認証画像を表示する、前記モバイル端末ＭＴにおける表示処理と、前記表示処理で表示される前記認証画像を読み取る、前記画像形成装置Ｇｋ１〜Ｇｋｎにおける読取処理と、前記読取処理で読み取られた前記認証画像から前記ワンタイムパスワードと前記端末識別情報とを取得し、該ワンタイムパスワードが前記情報記憶部１３に記憶された前記ワンタイムパスワードと一致した場合に前記端末識別情報を情報記憶部１３に記憶させる登録処理と、画像形成装置Ｇｋ１〜Ｇｋｎに対する動作要求である動作要求情報及び前記端末識別情報を画像形成装置Ｇｋ１〜Ｇｋｎへ送信する、前記モバイル端末ＭＴにおける要求送信処理と、前記動作要求情報及び前記端末識別情報を受信する、前記画像形成装置Ｇｋ１〜Ｇｋｎにおける要求受信処理と、前記要求受信処理で受信された前記端末識別情報が前記情報記憶部１３に記憶された端末識別情報に一致するか否かに基づいて、前記要求受信処理で受信された前記動作要求情報に基づく画像形成装置Ｇｋ１〜Ｇｋｎにおける動作の実行の可否を制御する認証管理処理と、を実行させる認証プログラムを搭載している。
【００８７】
したがって、画像処理システム１では、モバイル端末ＭＴの情報入出力部２５に認証画像を表示させて、画像形成装置Ｇｋ１〜Ｇｋｎに該認証画像を読み取らせることでモバイル端末ＭＴを画像形成装置Ｇｋ１〜Ｇｋｎへ登録し、登録したモバイル端末ＭＴを用いて画像形成装置Ｇｋ１〜Ｇｋｎの動作操作を行う。その結果、モバイル端末ＭＴを使用して画像形成装置Ｇｋ１〜Ｇｋｎを利用するユーザを管理する際のセキュリティを向上させることができる。また、画像処理システム１の管理者は、モバイル端末ＭＴのユーザが誰であるかを確認することができる。
【００８８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【００８９】
特に、画像形成装置Ｇｋ１〜Ｇｋｎの認証管理部１１が、認証情報（ワンタイムパスワード等）を発行しているが、認証情報の発行は、画像形成装置Ｇｋ１〜Ｇｋｎの認証管理部１１に限るものではない。例えば、認証機関のサーバ等が発行してもよい。また、画像形成装置Ｇｋ１〜Ｇｋｎは、その情報記憶部１３が、ワンタイムパスワードと端末識別情報を記憶して、認証管理部１１が、認証管理しているが、ワンタイムパスワードと端末識別情報は、外部の装置が記憶して、管理してもよい。さらに、動作要求情報としては、印刷データ等のジョブであってもよい。また、上記実施例においては、画像形成装置Ｇｋ１〜ＧｋｎがＬＡＮ等の有線のネットワークＮＷに接続され、モバイル端末ＭＴと無線（Ｗｉ−Ｆｉ）で接続されているが、画像形成装置Ｇｋ１〜Ｇｋｎとモバイル端末ＭＴとの接続形態はこれらに限るものではない。
【符号の説明】
【００９０】
１  画像処理システム
ＮＷ  ネットワーク
Ｇｋ１〜Ｇｋｎ  画像形成装置
ＯＫ  無線ＬＡＮ親機
ＭＴ  モバイル端末
１１  認証管理部
１２  データ送受信部
１３  情報記憶部
１４  画像読取部
２１  認証管理部
２２  データ送受信部
２３  画像データ生成部
２４  情報記憶部
２５  情報入出力部
Ｇ１  認証画面
Ｇ２  コピー操作画面
【先行技術文献】
【特許文献】
【００９１】
【特許文献１】特開２００８−３１１８９５号公報
【図１】
2015053021.tif 000003
【図２】
2015053021.tif 000004
【図３】
2015053021.tif 000005
【図４】
2015053021.tif 000006
【図５】
2015053021.tif 000007
【図６】
2015053021.tif 000008
【図７】
2015053021.tif 000009
【図８】
2015053021.tif 000010